(57)【要約】【課題】出力画像の品質が低下し難い定着装置を提供する。【解決手段】定着回転体１に加圧回転体２を圧接させて、定着回転体と加圧回転体とで記録紙６を挟持搬送しながら、その記録紙に転写してあるトナーを定着させる定着ニップ部７を形成してあり、定着ニップ部を通過した記録紙部分６ａと定着回転体との間に入り込んで、記録紙部分を定着回転体の外周面から分離可能な分離板８を設けてある定着装置であって、定着回転体の回転軸芯Ｘと略平行な軸芯周りで回転自在なコロ１５を、その外周面を分離板の板面と記録紙部分とが対向する空間に突出させて支持してある。【選択図】図１
2010054842.tif 000002
【特許請求の範囲】
【請求項１】
定着回転体に加圧回転体を圧接させて、前記定着回転体と前記加圧回転体とで記録紙を挟持搬送しながら、その記録紙に転写してあるトナーを定着させる定着ニップ部を形成してあり、
前記定着ニップ部を通過した記録紙部分と前記定着回転体との間に入り込んで、前記記録紙部分を定着回転体の外周面から分離可能な分離板を設けてある定着装置であって、
前記定着回転体の回転軸芯と略平行な軸芯周りで回転自在なコロを、その外周面を前記分離板の板面と前記記録紙部分とが対向する空間に突出させて支持してある定着装置。
【請求項２】
前記分離板を保持する取付ベースに前記コロを支持してあり、
前記取付ベースの姿勢を変更して、前記分離板の先端縁と前記定着回転体の外周面とのギャップを調整可能なギャップ調整手段を設けてある請求項１記載の定着装置。
【請求項３】
前記取付ベースを前記回転軸芯と略平行な軸芯周りで揺動自在に支持する支持フレームと、前記定着回転体を回転自在に支持するベアリングと、前記取付ベースを前記ベアリングの側に向けて揺動するように付勢する付勢手段とを備え、
前記ギャップ調整手段は、前記取付ベースにねじ込まれた調整ねじの先端部を前記付勢手段による付勢力で前記ベアリングに接当させて、その調整ねじの前記取付ベースに対するねじ込み量を変更することにより、前記ギャップを調整可能に構成してある請求項２記載の定着装置。
【発明の詳細な説明】
【技術分野】
【０００１】
本発明は、定着回転体に加圧回転体を圧接させて、前記定着回転体と前記加圧回転体とで記録紙を挟持搬送しながら、その記録紙に転写してあるトナーを定着させる定着ニップ部を形成してあり、前記定着ニップ部を通過した記録紙部分と前記定着回転体との間に入り込んで、前記記録紙部分を定着回転体の外周面から分離可能な分離板を設けてある定着装置に関する。
【背景技術】
【０００２】
上記定着装置は、定着ニップ部を通過した記録紙部分のトナー定着側紙面がトナーを介して定着ローラなどの定着回転体の外周面に貼り付くことによる紙詰まりの発生などを防止する必要がある。
このために、定着ニップ部を通過した記録紙部分と定着回転体との間に入り込んで、記録紙部分を定着回転体の外周面から分離可能な分離板を設けてある。
従来の上記定着装置では、定着回転体から分離した記録紙部分を、分離板の板面に摺接させながら搬送できるように構成してある（例えば、特許文献１参照。）。
【０００３】
【特許文献１】特開２００７−２２６１４０号公報
【発明の開示】
【発明が解決しようとする課題】
【０００４】
このため、定着回転体から分離した記録紙部分のトナー定着側紙面が分離板の板面に面接触したり、搬送負荷の増大により分離板の板面に擦られて、出力画像の品質が低下し易い欠点がある。
本発明は上記実情に鑑みてなされたものであって、出力画像の品質が低下し難い定着装置を提供することを目的とする。
【課題を解決するための手段】
【０００５】
本発明の第１特徴構成は、定着回転体に加圧回転体を圧接させて、前記定着回転体と前記加圧回転体とで記録紙を挟持搬送しながら、その記録紙に転写してあるトナーを定着させる定着ニップ部を形成してあり、前記定着ニップ部を通過した記録紙部分と前記定着回転体との間に入り込んで、前記記録紙部分を定着回転体の外周面から分離可能な分離板を設けてある定着装置であって、
前記定着回転体の回転軸芯と略平行な軸芯周りで回転自在なコロを、その外周面を前記分離板の板面と前記記録紙部分とが対向する空間に突出させて支持してある点にある。
【０００６】
〔作用及び効果〕
定着回転体から分離した記録紙部分を、コロの外周面との接触により、分離板の板面から離間させ易い。
また、記録紙部分のコロの外周面に対する接触に伴って、記録紙部分がコロの外周面に擦られないように、コロを従動回転させることができる。
従って、記録紙部分のトナー定着側紙面が分離板の板面に面接触したり、分離板の板面に擦られたりするおそれが少なくなり、出力画像の品質を確保し易い。
【０００７】
本発明の第２特徴構成は、前記分離板を保持する取付ベースに前記コロを支持してあり、前記取付ベースの姿勢を変更して、前記分離板の先端縁と前記定着回転体の外周面とのギャップを調整可能なギャップ調整手段を設けてある点にある。
【０００８】
〔作用及び効果〕
分離板とコロとの相対位置を変更することなく、分離板の先端縁と定着回転体の外周面とのギャップを、記録紙の曲げ剛性、つまり、定着回転体の外周面に対する貼り付き易さに応じた大きさに調整することができる。
【０００９】
本発明の第３特徴構成は、前記取付ベースを前記回転軸芯と略平行な軸芯周りで揺動自在に支持する支持フレームと、前記定着回転体を回転自在に支持するベアリングと、前記取付ベースを前記ベアリングの側に向けて揺動するように付勢する付勢手段とを備え、前記ギャップ調整手段は、前記取付ベースにねじ込まれた調整ねじの先端部を前記付勢手段による付勢力で前記ベアリングに接当させて、その調整ねじの前記取付ベースに対するねじ込み量を変更することにより、前記ギャップを調整可能に構成してある点にある。
【００１０】
〔作用及び効果〕
調整ねじの取付ベースに対するねじ込み量を変更するという簡便な操作で、分離板の先端縁と定着回転体の外周面とのギャップを調整することができる。
【発明を実施するための最良の形態】
【００１１】
以下に本発明の実施の形態を図面に基づいて説明する。
図１は、画像形成装置の一例としての、マゼンダ、シアン、イエロー、ブラックの４色フルカラープリンタの要部を示し、本発明による定着装置Ａを備えている。
定着装置Ａは、定着回転体としての定着ローラ１と加圧回転体としての加圧ローラ２とシート分離機構３とを備えている。
【００１２】
定着ローラ１は、板金製フレーム４に支持されている。
フレーム４は、定着ローラ１の長手方向に沿って延設してあるメインフレーム４ａと、図２に示すように、メインフレーム４ａの両端の夫々に配設してある側部フレーム４ｂとを有している。
【００１３】
定着ローラ１は、回転中心に配置してある軸部１ａと、軸部１ａと同軸の定着ローラ部１ｂとを有し、左右の側部フレーム４ｂにボールベアリング５を介して回転自在に支持され、図示しない駆動装置により図中の矢印ａの方向に駆動回転される。
【００１４】
軸部１ａの両端の夫々は、耐熱ブッシュを介してボールベアリング５のインナーレース５ａに内嵌してあり、ボールベアリング５のアウターレース５ｂは、側部フレーム４ｂに形成した取付孔に内嵌してある。
【００１５】
加圧ローラ２は、回転中心に配置してある軸部２ａと、軸部２ａと同軸の加圧ローラ部２ｂとを有し、定着ローラ１の回転軸芯Ｘと平行な軸芯周りで回転自在に支持されている。
【００１６】
定着ローラ１に図示しない付勢機構で加圧ローラ２を圧接させて、定着ローラ１と加圧ローラ２とで記録紙６を挟持搬送しながら、その記録紙６に転写してあるトナーを定着させる定着ニップ部７を形成してある。
【００１７】
給紙トレイなどから給紙された記録紙６は、トナー像が転写された後、図中の矢印ｂの方向に搬送されて、定着ニップ部７を通過する際に加圧・加熱されてトナー像が定着される。
【００１８】
定着ニップ部７を通過した記録紙部分６ａは、図中の矢印ｃの方向に搬送され、記録紙部分６ａが定着ローラ部１ｂに貼り付いている場合は、シート分離機構３によって分離（剥離）され、最終的には図外の排紙トレイに排出される。
【００１９】
シート分離機構３は、定着ニップ部７を通過した記録紙部分６ａと定着ローラ部１ｂとの間に入り込んで、記録紙部分６ａを定着ローラ部１ｂの外周面から分離可能な分離板８と、分離板８を保持する取付ベース９とを備えている。
【００２０】
分離板８は、図２にも示すように、定着ローラ１の軸芯Ｘ方向に長い略長方形の薄板材で形成してあり、その先端縁８ａを、定着ニップ部７よりも下流側における定着ローラ部１ｂの外周面に対して例えば０．１５ｍｍ程度のギャップ１４を介在させて対向させてある。
【００２１】
取付ベース９は、平板材をくの字状に屈曲させて、基板部９ａと、基板部９ａに対して傾斜する取付部９ｂとを一体に備え、分離板８は、その先端縁８ａを定着ローラ部１ｂ側に突出させて取付部９ｂに取り付けてある。
【００２２】
取付ベース９は、図３にも示すように、基板部９ａの左右両側に突設した板状の軸部材１０を介して、定着ローラ１の回転軸芯Ｘと平行な軸芯周りで回転自在に左右の側部フレーム４ｂに支持されている。
【００２３】
そして、取付ベース９がボールベアリング５の側に向けて揺動するように付勢する付勢手段としての捩りコイルバネ１１と、捩りコイルバネ１１の付勢力に抗して取付ベース９の姿勢を変更して、分離板８の先端縁８ａと定着ローラ部１ｂの外周面とのギャップを調整可能なギャップ調整手段１３とを設けてある。
【００２４】
ギャップ調整手段１３は、取付ベース９における基板部９ａの長手方向両側の夫々に調整ねじ１３をねじ込んで、調整ねじ１３の先端部を捩りコイルバネ１１による付勢力でボールベアリング５のアウターレース５ｂに接当させ、その調整ねじ１３の取付ベース９に対するねじ込み量を変更することにより、ギャップ１４の大きさを調整可能に構成してある。
【００２５】
取付ベース９には、定着ローラ１の回転軸芯Ｘと略平行な軸芯周りで回転自在なコロ１５の複数を、その外周面を分離板８の板面と記録紙部分６ａとが対向する空間に突出させて支持してある。
【００２６】
コロ１５の夫々は、図４に示すように、フォルダー１６に回転自在に支持してあり、このフォルダー１６を介して取付ベース９に支持して、基板部９ａ部分と取付部９ｂ部分とに亘って略矩形に形成した貫通孔１７と、分離板８に略矩形に形成した貫通孔１８とを通して、分離板８の先端縁８ａから離れた位置で突出させてある。
【００２７】
フォルダー１６は、図４に示すように、コロ１５を回転自在に支持する支軸部１９と、ビス２０で基板部９ａに固定される固定部２１とを一体に備えている。
【００２８】
固定部２１には、位置決め用の一対のピン（嵌合部材）２２を一体に設けてあり、このピン２２の夫々を基板部９ａに形成した貫通孔（嵌合部）２３に嵌入することにより、コロ１５の突出姿勢が一定になるように位置決めしてある。
【００２９】
〔その他の実施形態〕
１．本発明による定着装置は、定着回転体が無端の定着ベルトで構成されていても良い。
２．本発明による定着装置は、複写機、ファクシミリなどの画像形成装置に装備されるものでも良い。
【図面の簡単な説明】
【００３０】
【図１】カラープリンタの要部を示す側面図
【図２】要部の斜視図
【図３】要部の概略斜視図
【図４】要部の斜視図
【符号の説明】
【００３１】
１  定着回転体
２  加圧回転体
４ｂ  支持フレーム
５  ベアリング
６  記録紙
６ａ  記録紙部分
７  定着ニップ部
８  分離板
８ａ  先端縁
９  取付ベース
１１  付勢手段
１２  ギャップ調整手段
１３  調整ねじ
１４  ギャップ
１５  コロ
Ｘ  回転軸芯
【図１】
2010054842.tif 000003
【図２】
2010054842.tif 000004
【図３】
2010054842.tif 000005
【図４】
2010054842.tif 000006